【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
遮光性添加剤を含むフィルムを含む基材であって、前記フィルムが、第１の主面を含み、さらに光透過領域と遮光領域とを含み、
前記フィルムが構造化表面を含むことによって、厚い遮光領域と、比較的薄い光透過領域とが得られる、基材。
【請求項２】
前記構造化表面が一連の微細構造を含む、請求項１に記載の基材。
【請求項３】
特徴部が、角錐、円錐、窪んだ柱または窪んだ角錐である、請求項２に記載の基材。
【請求項４】
前記第１の主面が約５０％未満の光透過領域を含む、請求項１に記載の基材。
【請求項５】
第１の主面を含むフィルムを含む基材であって、前記フィルムが、実質的に連続であり、光透過領域と遮光領域とを含み、
前記フィルムの前記第１の主面が、一連の微細構造特徴部によって構造化されており、前記第１の主面上の前記遮光領域内に遮光層が存在する、基材。
【請求項６】
前記特徴部が、角錐、円錐、窪んだ柱または窪んだ角錐である、請求項５に記載の基材。
【請求項７】
第１の主面を含むフィルムを含む基材であって、前記フィルムが光透過領域と遮光領域とを含み、
光透過領域が、１．４ｍｍ未満の少なくとも２つの横寸法を有し前記フィルムを貫通する一連の孔である、基材。
【手続補正２】
【補正対象書類名】明細書
【補正対象項目名】００９２
【補正方法】変更
【補正の内容】
【００９２】
本発明の意図および範囲から逸脱しない本発明の種々の変更および変形は、当業者によって明らかとなるであろう。本発明の実施態様の一部を以下に列記する。
（１）
遮光性添加剤を含むフィルムを含む基材であって、前記フィルムが、第１の主面を含み、さらに光透過領域と遮光領域とを含み、
前記フィルムが構造化表面を含むことによって、厚い遮光領域と、比較的薄い光透過領域とが得られる、基材。
（２）
前記構造化表面が一連の微細構造を含む、項目１に記載の基材。
（３）
前記表面が突出した特徴部を含む、項目１に記載の基材。
（４）
前記特徴部が柱である、項目３に記載の基材。
（５）
底部における前記柱の直径が、上端における直径よりも大きい、項目４に記載の基材。
（６）
柱の底部が、隣接する柱の底部と接触している、項目４に記載の基材。
（７）
前記特徴部が角錐である、項目３に記載の基材。
（８）
角錐の底部が、隣接する角錐の底部と接触している、項目７に記載の基材。
（９）
前記角錐が、切頭上端を有する、項目７に記載の基材。
（１０）
前記角錐が、丸みを帯びた上端を有する、項目７に記載の基材。
（１１）
前記特徴部が円錐である、項目３に記載の基材。
（１２）
円錐の底部が、隣接する円錐の底部と接触している、項目１１に記載の基材。
（１３）
前記円錐が切頭上端を有する、項目１１に記載の基材。
（１４）
前記円錐が丸みを帯びた上端を有する、項目１１に記載の基材。
（１５）
前記表面が窪んだ特徴部を含む、項目１に記載の基材。
（１６）
前記特徴部が窪んだ柱である、項目１５に記載の基材。
（１７）
底部における前記柱の直径が、前記表面における直径よりも小さい、項目１６に記載の基材。
（１８）
前記表面において、柱が、隣接する柱と接触している、項目１６に記載の基材。
（１９）
前記特徴部が窪んだ角錐である、項目１５に記載の基材。
（２０）
前記表面において、角錐が、隣接する角錐と接触している、項目１９に記載の基材。
（２１）
前記角錐が、切頭底部を有する、項目１９に記載の基材。
（２２）
前記角錐が、丸みを帯びた底部を有する、項目１９に記載の基材。
（２３）
前記特徴部が窪んだ円錐である、項目１５に記載の基材。
（２４）
前記表面において、円錐が隣接する円錐と接触している、項目２３に記載の基材。
（２５）
前記円錐が、切頭底部を有する、項目２３に記載の基材。
（２６）
前記円錐が、丸みを帯びた底部を有する、項目２３に記載の基材。
（２７）
前記基材が多層基材である、項目１に記載の基材。
（２８）
前記構造化表面が独立した層である、項目１に記載の基材。
（２９）
前記フィルムがポリマーである、項目１に記載の基材。
（３０）
前記フィルムが、ポリオレフィン系材料、改質ポリオレフィン系材料、ポリ塩化ビニル、ポリカーボネート、ポリスチレン、ポリエステル、ポリフッ化ビニリデン、アクリル樹脂、ウレタン、およびアクリルウレタンからなる群より選択される材料である、項目２９に記載の基材。
（３１）
前記第１の主面が約５０％未満の光透過領域を含む、項目１に記載の基材。
（３２）
前記第１の主面が約２５％未満の光透過領域を含む、項目１に記載の基材。
（３３）
前記基材の前記第１の主面の前記遮光領域上に反射画像を含む、項目１に記載の基材。
（３４）
前記基材の前記第１の主面の前記光透過領域を透過する透過画像を含む、項目１に記載の基材。
（３５）
前記透過画像が、前記第１の主面とは反対側にある前記フィルムの主面上の印刷画像である、項目３４に記載の基材。
（３６）
前記透過画像が、前記第１の主面とは反対側にある前記フィルムの主面上の投影画像である、項目３４に記載の基材。
（３７）
前記投影画像が動的である、項目３６に記載の基材。
（３８）
前記投影画像が静的である、項目３６に記載の基材。
（３９）
第２の主面と近接する透過性フィルム層を含み、前記透過画像が前記透過性フィルム上にある、項目３４に記載の基材。
（４０）
前記反射画像が、前記基材の前記遮光領域上の印刷画像である、項目３３に記載の基材。
（４１）
前記フィルムが安定剤を含む、項目１に記載の基材。
（４２）
第１の主面を含むフィルムを含む基材であって、前記フィルムが、実質的に連続であり、光透過領域と遮光領域とを含み、
前記フィルムの前記第１の主面が、一連の微細構造特徴部によって構造化されており、前記第１の主面上の前記遮光領域内に遮光層が存在する、基材。
（４３）
前記基材が、前記第１の主面とは反対側に第２の主面を含み、前記第２の主面が構造化されている、項目４２に記載の表示フィルム。
（４４）
前記第２の主面が、一連の微細構造特徴部によって構造化されている、項目４３に記載の基材。
（４５）
前記フィルムが第２の主面を含み、前記第２の主面が構造化されていない、項目４２に記載の基材。
（４６）
前記表面が突出した特徴部を含む、項目４２に記載の基材。
（４７）
前記特徴部が柱である、項目４６に記載の基材。
（４８）
底部における前記柱の直径が、上端における直径よりも大きい、項目４６に記載の基材。
（４９）
柱の底部が、隣接する柱の底部と接触している、項目４８に記載の基材。
（５０）
前記特徴部が角錐である、項目４６に記載の基材。
（５１）
角錐の底部が、隣接する角錐の底部と接触している、項目５０に記載の基材。
（５２）
前記角錐が、切頭上端を有する、項目５０に記載の基材。
（５３）
前記角錐が、丸みを帯びた上端を有する、項目５０に記載の基材。
（５４）
前記特徴部が円錐である、項目４６に記載の基材。
（５５）
円錐の底部が、隣接する円錐の底部と接触している、項目５４に記載の基材。
（５６）
前記円錐が切頭上端を有する、項目５４に記載の基材。
（５７）
前記円錐が丸みを帯びた上端を有する、項目５４に記載の基材。
（５８）
前記表面が窪んだ特徴部を含む、項目４２に記載の基材。
（５９）
前記特徴部が窪んだ柱である、項目５８に記載の基材。
（６０）
底部における前記柱の直径が、前記表面における直径よりも小さい、項目５９に記載の基材。
（６１）
前記表面において、柱が、隣接する柱と接触している、項目５９に記載の基材。
（６２）
前記特徴部が窪んだ角錐である、項目５８に記載の基材。
（６３）
前記表面において、角錐が、隣接する角錐と接触している、項目６２に記載の基材。
（６４）
前記角錐が、切頭底部を有する、項目６２に記載の基材。
（６５）
前記角錐が、丸みを帯びた底部を有する、項目６２に記載の基材。
（６６）
前記特徴部が窪んだ円錐である、項目５８に記載の基材。
（６７）
前記表面において、円錐が隣接する円錐と接触している、項目６６に記載の基材。
（６８）
前記円錐が、切頭底部を有する、項目６６に記載の基材。
（６９）
前記円錐が、丸みを帯びた底部を有する、項目６６に記載の基材。
（７０）
前記基材が多層基材である、項目４２に記載の基材。
（７１）
前記構造化表面が独立した層である、項目４２に記載の基材。
（７２）
前記フィルムが光透過性材料である、項目４２に記載の基材。
（７３）
前記フィルムがポリマーである、項目４２に記載の基材。
（７４）
前記フィルムが、ポリオレフィン系材料、改質ポリオレフィン系材料、ポリ塩化ビニル、ポリカーボネート、ポリスチレン、ポリエステル、ポリフッ化ビニリデン、アクリル樹脂、ウレタン、およびアクリルウレタンからなる群より選択される材料である、項目７３に記載の基材。
（７５）
前記第１の主面が約５０％未満の光透過領域を含む、項目４２に記載の基材。
（７６）
前記第１の主面が約２５％未満の光透過領域を含む、項目４２に記載の基材。
（７７）
前記基材の前記第１の主面の前記遮光領域上に反射画像を含む、項目４２に記載の基材。
（７８）
前記基材の前記第１の主面の前記光透過領域を透過する透過画像を含む、項目４２に記載の基材。
（７９）
前記透過画像が、前記第１の主面とは反対側にある前記フィルムの主面上の印刷画像である、項目７８に記載の基材。
（８０）
前記透過画像が、前記第１の主面とは反対側にある前記フィルムの主面上の投影画像である、項目７８に記載の基材。
（８１）
前記投影画像が動的である、項目８０に記載の基材。
（８２）
前記投影画像が静的である、項目８０に記載の基材。
（８３）
第２の主面と近接する透過性フィルム層を含み、前記透過画像が前記透過性フィルム上にある、項目７８に記載の基材。
（８４）
前記反射画像が、前記基材の前記遮光領域上の印刷画像である、項目７７に記載の基材。
（８５）
前記フィルムが安定剤を含む、項目４２に記載の基材。
（８６）
前記反射画像が、前記基材の前記遮光領域上の印刷画像である、項目４２に記載の基材。
（８７）
前記第１の主面とは反対側に第２の主面を含み、前記第２の主面が構造化されている、項目４２に記載の基材。
（８８）
前記基材の前記第１の主面上の前記遮光領域が鏡面状である、項目４２に記載の基材。
（８９）
前記遮光領域上に金属フレークが存在する、項目８８に記載の基材。
（９０）
前記遮光領域上に鏡面が存在する、項目８８に記載の基材。
（９１）
前記遮光領域上に両面の鏡面が存在する、項目８８に記載の基材。
（９２）
前記微細構造特徴部が光透過性である、項目４２に記載の基材。
（９３）
第１の主面を含むフィルムを含む基材であって、前記フィルムが光透過領域と遮光領域とを含み、
光透過領域が、１．４ｍｍ未満の少なくとも２つの横寸法を有し前記フィルムを貫通する一連の孔である、基材。